(57)【特許請求の範囲】
【請求項１】
注油缶と、該注油缶が着脱自在に装着される注油装置とから成り、該注油缶は、油と不活性圧縮ガスと該注油缶の下部において開口し上部において該注油缶の上部に設けられた弁に連通するチューブとを内蔵し、前記注油装置は、前記注油缶が装着された時に該注油缶の上部に設けられた前記弁を開く連結部材を有する注油缶装着部と、ハンドピースが着脱自在に装着され、装着された時に該ハンドピースに注油する注油弁が開かれるハンドピース装着部と、前記注油缶内の油を前記ハンドピース内に送給する注油管路の途中に配設された操作弁とを有し、該操作弁を開いて前記注油缶内の油を前記不活性圧縮ガスによって加圧して前記ハンドピース内に注油するハンドピース注油装置において、前記注油缶内の圧力を前記チューブを通して検出する圧力検出部と、検出圧力を表示する表示部とを有し、該検出圧力の低下により該注油缶内の油の残量を検出するようにしたことを特徴とするハンドピース注油装置。
【請求項２】
前記注油缶装着部は、下部にレバーによって回動される偏心軸を、上部に前記注油管路に前記弁を通して連通する前記連結部材を有し、該偏心軸上に注油缶を配置して該レバーを回動して該注油缶を持ち上げ、該注油缶の上部に設けられた弁を前記連結部材によって開くとともに、該注油缶を該注油缶装着部に装着固定するものであることを特徴とする請求項１に記載のハンドピース注油装置。
【発明の詳細な説明】
【０００１】
【発明の属する技術分野】
本発明は、歯科治療に用いるインスツルメント、より詳細には、マイクロエンジンハンドピース、エアータービンハンドピース等の回転機構部（ベアリング）を含むハンドピースに潤滑油を注入するための注油装置、及び、これらのハンドピースに注油するのに使用して好適な注油缶に関する。
【０００２】
【従来の技術】
歯科治療においては、歯牙の切削等にマイクロエンジンハンドピースやエアータービンハンドピース等、内部に歯車やベアリング等の可動部を有するインスツルメントを使用するが、これらハンドピース内の歯車やベアリングに、時々注油して回転伝達をスムーズに行うようにしている。
【０００３】
注油は、注油缶内の油をハンドピースのヘッド部に、例えば、マイクロエンジンハンドピースにおいては、マイクロモータによって回転される回転軸が挿通されている管路内を通して、エアータービンハンドピースにおいては、回転羽根を回転させるエアーを通すエアー管路を通して供給し、該ハンドピースのヘッド部に設けられているベアリング等に注油するようにしているが、従来の注油缶は、ＬＰＧガスを使用し、該ＬＰＧガスと一緒に油を噴射するものであるため、油が減ってきても、更には、油が０になってもガス圧が低下せず（最後までガスが残る）、見かけ上は注油したかのように見えるが、実際には、注油していない場合がある等の問題があった。
【０００４】
【発明が解決しようとする課題】
本発明は、上述のごとき実情に鑑みてなされたもので、注油缶内の油量が減少したことを検知可能とし、注油ミスのないようにすることのできる注油缶、及び、該注油缶を用いて残油量を表示可能にした注油装置を提供することを目的としてなされたものである。
【０００５】
【課題を解決するための手段】
請求項１の発明は、注油缶と、該注油缶が着脱自在に装着される注油装置とから成り、該注油缶は、油と不活性圧縮ガスと該注油缶の下部において開口し上部において該注油缶の上部に設けられた弁に連通するチューブとを内蔵し、前記注油装置は、前記注油缶が装着された時に該注油缶の上部に設けられた前記弁を開く連結部材を有する注油缶装着部と、ハンドピースが着脱自在に装着され、装着された時に該ハンドピースに注油する注油弁が開かれるハンドピース装着部と、前記注油缶内の油を前記ハンドピース内に送給する注油管路の途中に配設された操作弁とを有し、該操作弁を開いて前記注油缶内の油を前記不活性圧縮ガスによって加圧して前記ハンドピース内に注油するハンドピース注油装置において、前記注油缶内の圧力を前記チューブを通して検出する圧力検出部と、検出圧力を表示する表示部とを有し、該検出圧力の低下により該注油缶内の油の残量を検出するようにしたことを特徴としたものである。
【０００７】
請求項２の発明は、請求項１の発明において、前記注油缶装着部は、下部にレバーによって回動される偏心軸を、上部に前記注油管路に前記弁を通して連通する前記連結部材を有し、該偏心軸上に注油缶を配置して該レバーを回動して該注油缶を持ち上げ、該注油缶の上部に設けられた弁を前記連結部材によって開くとともに、該注油缶を該注油缶装着部に装着固定するものであることを特徴としたものである。
【０００９】
【発明の実施の形態】
図１は、本発明によるハンドピース注油装置の一実施例を説明するための全体概略構成図で、図中、１０は本発明によるハンドピース注油装置、２０は本発明による注油缶、３０は注油されるハンドピースで、注油装置１０は、前記注油缶２０が着脱自在に装着される注油缶装着部１と、歯科用ハンドピース（例えば、マイクロエンジンハンドピース、エアータービンハンドピース等）が着脱自在に装着されるハンドピース装着部２とを有し、これら注油缶装着部１とハンドピース装着部２とは、図２に詳細に示すように、注油缶２０を注油装置１０に連結するための連結部材３、逆流防止弁４、チューブ５、弁（好ましくは、電磁弁）６、チューブ７等を介して連結されている。
【００１０】
図３は、本発明による注油缶２０を、その内部が見えるように透視して示す図で、該注油缶２０の内部には、油２１と圧縮不活性ガス（好ましくは、炭酸ガス）２２が封入されており、更には、下部が油２１内に開口し、上部が該注油缶２０の上部に設けられた弁に連結されたチューブ２３が設けられており、上部の弁操作部材２４を押下した時に、該弁を開き、缶２０内の油２１が圧縮ガス２２に押圧されて噴射されるようになっている。
【００１１】
而して、従来の注油缶は、ＬＰＧガスを用いて油を噴射するようにしているが、ＬＰＧガスだと、ＬＰＧガス中に油が混入されて噴射されるため、油が減ってきてもＬＰＧガスの圧力が下がらず、油がなくなっても（油量が０になっても）ＬＰＧガスが噴射されるため、注油されているように見えても、実際には、注油されていない場合がある等の問題があった。
【００１２】
これに対して、本発明による注油缶は、油２１と圧縮ガス２２が完全に分離されており、油２１が減ると、それに応じて圧縮ガス２２の圧力が下がるので、この圧縮ガスのガス圧の低下を検知することにより、油の残量を検知することができ、注油缶２０の交換を適切な時機に行うことができる。
【００１３】
本発明によるハンドピース注油装置１０は、上述のごとき本発明による注油缶２０を装着して使用して好適なハンドピース注油装置であって、該注油装置１０は、図１及び図２に示すように、注油缶２０内のガス圧を検出する圧力検出部８と、該圧力検出部８で検出した圧力を表示する表示部９を有し、該表示部９にて注油缶２０内のガス圧を表示し、或いは、該ガス圧が所定値以下に低下したことを表示するようになっている。
【００１４】
図４は、注油缶装着部１の下部構成例を説明するための図で、該注油缶装着部１の下部には偏心軸１１と該偏心軸１１を回動するレバー１２とが設けられており、注油缶２０を装着する前は、図４（Ａ）に示すように、偏心軸１１は、その高さが最低の位置になるように回動されており、この状態で、該注油缶２０を注油缶装着部１内の偏心軸１１上に配置し、次いで、レバー１２を矢印方向（反対方向でもよい）に回動して該注油缶２０を上方に押し上げ、注油装置１０側の連結部材３と注油缶２０側の連結部材２５とを連結し、同時に、該注油缶２０の上部に設けられている弁操作部材２４を、注油缶装着部１の上部に設けられている連結部材３によって押下し、該注油缶２０の上部に設けられている弁を開き、該注油缶２０内の油２１を圧縮ガス２２の圧力によって逆流防止弁４を通してチューブ５に送出する。なお、逆流防止弁４は、注油缶２０を取り外した時に、チューブ５内の油が逆流して垂れ落ちないようにするためのものである。
【００１５】
上述のようにして、注油缶２０が注油装置１０にセットされると、注油缶２０内の油はチューブ５に送出され、その圧力は、圧力検出部８によって検出され、その出力信号（圧力値に対応する信号、或いは、圧力が所定圧力以上又は以下であることを示す信号）をリード線を介して表示部９に伝達し、注油缶２０内の圧力を表示する。注油時は、操作弁（好ましくは、電磁弁）６を開き、チューブ７を通してハンドピース３０に注油する。注油缶２０の油２１が減少すると、その分、圧縮ガス２２の圧力が低下し、それに応じてチューブ５内の圧力が低下するので、このチューブ５内の圧力を圧力検出部８で検出することにより、注油缶２０内の残油量を検出することができ、該注油缶２０の交換時機を適確に知ることができる。
【００１６】
【発明の効果】
以上の説明から明らかなように、本発明によると、ハンドピース注油装置に装着されて注油缶内の残油量を検知することができ、該注油缶の交換時機を適確に知ることができる注油装置を提供すること、及び、注油缶内の残油量を検知可能な注油缶を提供することができる。
【図面の簡単な説明】
【図１】  本発明によるハンドピース注油装置の一実施例を説明するための全体概略構成図である。
【図２】  図１に示した注油装置の一部を詳細に説明するための図である。
【図３】  本発明による注油缶の内部構成を説明するための透視図である。
【図４】  注油缶を注油装置に装着する場合の一構成例を説明するための図である。
【符号の説明】
１…注油缶装着部、２…ハンドピース装着部、３…連結部材、４…逆流防止弁、５…チューブ、６…操作弁、７…チューブ、８…圧力検出部、９…表示部、１０…注油装置、１１…偏心軸、１２…レバー、２０…注油缶、２１…油、２２…不活性圧縮ガス、２３…チューブ、２４…弁操作部材、２５…連結部材、３０…ハンドピース。
【図１】
0003693608.tif 000002
【図２】
0003693608.tif 000003
【図３】
0003693608.tif 000004
【図４】
0003693608.tif 000005